(57)【要約】【課題】  操作者自身による設定やマナーモードとしたい場所への専用設備の設置を行うことなく、マナーモードへの設定を容易に行わせることが可能なマナーモード制御方法を提供する。【解決手段】  携帯端末の制御回路は、ステップＳ１で優先席のシートに備えた無線チップの情報を、アンテナと送受信回路とを経由して信号を発信することで無線チップの電源を誘電して読込む。制御回路は、ステップＳ２で無線チップから読込んだ情報が優先席であることを示しているかどうかを優先席エリア判定回路に判定させ、無線チップからの情報が優先席であることを示していれば，ステップＳ４で自端末の電源回路の電源をオフにする。【選択図】      図２
2007194756.tif 000002
【特許請求の範囲】
【請求項１】
少なくとも携帯端末の着信音の鳴動を抑止するマナーモードへの設定を行わせるためのマナーモード制御システムであって、
前記マナーモードの設定が必要である旨を示す情報を保持する無線チップを設け、
前記携帯端末は、前記無線チップから前記情報を読込む手段と、その読込んだ情報が前記マナーモードの設定が必要である旨を示すと判定した時に自端末を前記マナーモードに設定する手段とを有することを特徴とするマナーモード制御システム。
【請求項２】
前記無線チップは、前記携帯端末の電源を断とする必要がある旨を示す情報を保持可能とし、
前記携帯端末は、前記無線チップから読込んだ情報が前記携帯端末の電源を断とする必要がある旨を示すと判定した時に自端末の電源を断にすることを特徴とする請求項１記載のマナーモード制御システム。
【請求項３】
前記無線チップは、少なくとも前記マナーモードの設定が必要なことを表示する表示物に組込まれていることを特徴とする請求項１または請求項２記載のマナーモード制御システム。
【請求項４】
少なくとも着信音の鳴動を抑止するマナーモードへの設定が可能な携帯端末であって、
前記マナーモードの設定が必要である旨を示す情報を保持する無線チップから前記情報を読込む手段と、その読込んだ情報が前記マナーモードの設定が必要である旨を示すと判定した時に自端末を前記マナーモードに設定する手段とを有することを特徴とする携帯端末。
【請求項５】
前記無線チップから読込んだ情報が前記携帯端末の電源を断とする必要がある旨を示すと判定した時に自端末の電源を断にすることを特徴とする請求項４記載の携帯端末。
【請求項６】
前記無線チップが、少なくとも前記マナーモードの設定が必要なことを表示する表示物に組込まれていることを特徴とする請求項４または請求項５記載の携帯端末。
【請求項７】
少なくとも携帯端末の着信音の鳴動を抑止するマナーモードへの設定を行わせるためのマナーモード制御システムに用いるマナーモード制御方法であって、
前記マナーモードの設定が必要である旨を示す情報を保持する無線チップを設け、
前記携帯端末が、前記無線チップから前記情報を読込む処理と、その読込んだ情報が前記マナーモードの設定が必要である旨を示すと判定した時に自端末を前記マナーモードに設定する処理とを実行することを特徴とするマナーモード制御方法。
【請求項８】
前記無線チップは、前記携帯端末の電源を断とする必要がある旨を示す情報を保持可能とし、
前記携帯端末が、前記無線チップから読込んだ情報が前記携帯端末の電源を断とする必要がある旨を示すと判定した時に自端末の電源を断にすることを特徴とする請求項７記載のマナーモード制御方法。
【請求項９】
前記無線チップが、少なくとも前記マナーモードの設定が必要なことを表示する表示物に組込まれていることを特徴とする請求項７または請求項８記載のマナーモード制御方法。
【請求項１０】
少なくとも携帯端末の着信音の鳴動を抑止するマナーモードへの設定を行わせるためのマナーモード制御システムに用いるマナーモード制御方法のプログラムであって、
前記マナーモードの設定が必要である旨を示す情報を保持する無線チップを設け、
前記携帯端末のコンピュータに、前記無線チップから前記情報を読込む処理と、その読込んだ情報が前記マナーモードの設定が必要である旨を示すと判定した時に自端末を前記マナーモードに設定する処理とを実行させるためのプログラム。
【発明の詳細な説明】
【技術分野】
【０００１】
本発明はマナーモード制御システム、携帯端末及びそれに用いるマナーモード制御方法並びにそのプログラムに関し、特に携帯電話機をはじめとする携帯端末におけるマナーモードの設定に関する。
【背景技術】
【０００２】
携帯電話機をはじめとする携帯端末においては、通話やメール時以外にも電波を発生しているため、ペースメーカー等をはじめとした医療機器等への影響が問題となっている。特に、携帯端末を保持する人と医療機器等を保持する人との距離が接近する電車等の交通機関では、優先席付近において携帯端末の電源オフ、それ以外で着信音の鳴動を抑止するマナーモードとするように表示及びアナウンスが行われているが、結局、携帯端末の電源オフやマナーモードの設定が個人の判断に委ねられている状況であり、改善が困難な状況である。
【０００３】
これに対して、携帯端末の電源オフやマナーモードの設定等のマナーモード制御方法としては、基地局ＩＤ（ＩＤｅｎｔｉｆｉｅｒ：識別情報）を記憶することで、マナーモード設定用の基地局ＩＤと一致したらマナーモードとする方法がある（例えば、特許文献１参照）。しかしながら、この方法では、基地局ＩＤとマナーモードに必要な場所（例えば電車の中）とが限定できないという問題がある。
【０００４】
また、他のマナーモード制御方法としては、予め登録した時刻やスケジュールによってマナーモードを設定する方法（例えば、特許文献２〜４参照）や、所定信号を受信している間、マナーモードとする方法（例えば、特許文献５，６参照）がある。しかしながら、前者の方法では、予めスケジュールを登録しておかなければ、設定ができないという問題があり、後者の方法では、マナーモードとしたい場所に、所定の信号を発生する装置を取り付けなければいけないという問題がある。
【０００５】
さらに、別のマナーモード制御方法としては、電車の平均時速及び基地局間の平均距離に基づいて算定される判定基準時間を設定し、測定されたチャネル切替わり間隔時間と判定基準時間とを比較して乗車中であるか否かを判定してマナーモードとする方法（例えば、特許文献７参照）がある。しかしながら、この方法では、判定基準時間の設定が全ての路線の全ての電車に対応する必要があり、乗車中か否かの判定が困難という問題がある。
【０００６】
さらにまた、さらに別のマナーモード制御方法としては、ＧＰＳ（Ｇｌｏｂａｌ  Ｐｏｓｉｔｉｏｎｉｎｇ  Ｓｙｓｔｅｍ）の情報を利用し、位置情報が予め登録された情報にマッチした場合にマナーモードの設定を行う方法等（例えば、特許文献８〜１３参照）がある。これらの方法では、携帯端末にＧＰＳ機能を保有していなければならないという問題がある。
【０００７】
【特許文献１】特開２０００−１８８７８１号公報
【特許文献２】特開２００１−１２７８３８号公報
【特許文献３】特開２００１−２２４０７５号公報
【特許文献４】特開２００４−２５３９８０号公報
【特許文献５】特開２００３−０３２７４６号公報
【特許文献６】特開２００３−０５２０７７号公報
【特許文献７】特開２００３−０６１１５３号公報
【特許文献８】特開２００３−２０９８８４号公報
【特許文献９】特開２００４−３２０２０８号公報
【特許文献１０】特開２００２−３００６３２号公報
【特許文献１１】特開２００４−３６４０６１号公報
【特許文献１２】特開２００５−２２３５５０号公報
【特許文献１３】特開２００５−１８４３２７号公報
【発明の開示】
【発明が解決しようとする課題】
【０００８】
上述した従来のマナーモード制御方法では、携帯電話機や携帯端末を保有している保有者自身が積極的に操作しないと電源オフやマナーモード設定が行えないという問題がある。
【０００９】
また、上記の各特許文献１〜１３に記載の方法では、基地局ＩＤとマナーモードに必要な場所（例えば電車の中）が限定できないという問題、予めスケジュールを登録しておかなければ、設定が出来ないという問題、マナーモードとしたい場所に、所定の信号を発生する装置を取り付けなければならないという問題、判定基準時間の設定が全ての路線の全ての電車に対応する必要があり、乗車中か否かの判定が困難という問題、ＧＰＳ機能を保有していなければならないという問題がある。
【００１０】
そこで、本発明の目的は上記の問題点を解消し、操作者自身による設定やマナーモードとしたい場所への専用設備の設置を行うことなく、マナーモードへの設定を容易に行わせることができるマナーモード制御システム、携帯端末及びそれに用いるマナーモード制御方法並びにそのプログラムを提供することにある。
【課題を解決するための手段】
【００１１】
本発明によるマナーモード制御システムは、少なくとも携帯端末の着信音の鳴動を抑止するマナーモードへの設定を行わせるためのマナーモード制御システムであって、
前記マナーモードの設定が必要である旨を示す情報を保持する無線チップを設け、
前記携帯端末は、前記無線チップから前記情報を読込む手段と、その読込んだ情報が前記マナーモードの設定が必要である旨を示すと判定した時に自端末を前記マナーモードに設定する手段とを備えている。
【００１２】
本発明による携帯端末は、少なくとも着信音の鳴動を抑止するマナーモードへの設定が可能な携帯端末であって、
前記マナーモードの設定が必要である旨を示す情報を保持する無線チップから前記情報を読込む手段と、その読込んだ情報が前記マナーモードの設定が必要である旨を示すと判定した時に自端末を前記マナーモードに設定する手段とを備えている。
【００１３】
本発明によるマナーモード制御方法は、少なくとも携帯端末の着信音の鳴動を抑止するマナーモードへの設定を行わせるためのマナーモード制御システムに用いるマナーモード制御方法であって、
前記マナーモードの設定が必要である旨を示す情報を保持する無線チップを設け、
前記携帯端末が、前記無線チップから前記情報を読込む処理と、その読込んだ情報が前記マナーモードの設定が必要である旨を示すと判定した時に自端末を前記マナーモードに設定する処理とを実行している。
【００１４】
本発明によるマナーモード制御方法のプログラムは、少なくとも携帯端末の着信音の鳴動を抑止するマナーモードへの設定を行わせるためのマナーモード制御システムに用いるマナーモード制御方法のプログラムであって、
前記マナーモードの設定が必要である旨を示す情報を保持する無線チップを設け、
前記携帯端末のコンピュータに、前記無線チップから前記情報を読込む処理と、その読込んだ情報が前記マナーモードの設定が必要である旨を示すと判定した時に自端末を前記マナーモードに設定する処理とを実行させている。
【００１５】
すなわち、本発明のマナーモード制御方法は、優先席を表示するシート等に埋込まれた（または組込まれた）無線チップから、優先席情報であることを認識する情報を読出した時に携帯端末の電源オフや着信音の鳴動を抑止するマナーモードへの設定を行うことを特徴とする。
【００１６】
より具体的に説明すると、本発明のマナーモード制御方法では、優先席と表示したシートに埋込まれた無線チップに保持された情報を、携帯電話機等の携帯端末のアンテナを経由して無線を発信することで無線チップの電源を誘電して読込み、その読込んだ情報を送受信回路を通じて制御回路に取込む。制御回路に取込まれた情報は優先席エリア判定回路によって優先席であることを示す情報かどうかを判定し、優先席であることを示す情報であると判定した時に制御回路を通じて電源回路の電源をオフにしている。
【００１７】
この動作によって、本発明のマナーモード制御方法では、優先席エリア（電源オフの必要があるエリアまたはマナーモードを設定する必要があるエリア）であることを、優先席と表示したシート等にある無線チップの情報を読出すことで判断し、電源をオフしたり、マナーモードの設定を行ったりすることが可能となるので、操作者自身が積極的にマナーモード設定や電源オフを行う必要や予めスケジュールを登録しておく必要がなくなる。
【００１８】
同様に、本発明のマナーモード制御方法では、マナーモードとしたい場所に、所定の信号を発生する装置を取付けなければならないという問題、ＧＰＳ（Ｇｌｏｂａｌ  Ｐｏｓｉｔｉｏｎｉｎｇ  Ｓｙｓｔｅｍ）機能を保有していなければならないという問題もなくなる。
【００１９】
また、本発明のマナーモード制御方法では、マナーモードが必要な場所の近くにあるもの（例えば、電車の中の優先席と表示したシート等）から情報を読出すために、基地局ＩＤとマナーモードが必要な場所（例えば、電車の中）とが限定できないという問題、判定基準時間の設定が全ての路線の全ての電車に対応する必要があるために乗車中か否かの判定が困難という問題もなくなる。
【００２０】
さらに、本発明のマナーモード制御方法では、マナーモードが必要な場所の近くにあるもの（例えば、シートやボード等）から情報を読出すために、無線チップの無線部の出力が小さくても動作可能で、低消費電力でも機能が実現可能になる。加えて、無線チップは無線を通じて電源を誘電させて通信を行うことができるので、電源が不要であり、その無線チップから情報を読出すことによって、マナーモードの設定等の制御が可能であるため、設置場所の自由度が高くなる。その結果、本発明のマナーモード制御方法では、マナーモードにさせたい場所に、所定の信号を発生する装置を取付けなければならないという問題がなくなる。
【００２１】
尚、無線チップはＩＣ（集積回路）メモリと通信回路、アンテナによって実現が可能であり、使用する周波数帯（例えば、マイクロ波やミリ波）によって小型化が可能であり、設置の場所の自由度が高くなる。
【発明の効果】
【００２２】
本発明は、上記のような構成及び動作とすることで、操作者自身による設定やマナーモードとしたい場所への専用設備の設置を行うことなく、マナーモードへの設定を容易に行わせることができるという効果が得られる。
【発明を実施するための最良の形態】
【００２３】
次に、本発明の実施例について図面を参照して説明する。図１は本発明の一実施例によるマナーモード制御システムの構成を示すブロック図である。図１において、本発明の一実施例によるマナーモード制御システムは無線チップ１２を備えたシート１１と、携帯電話機等の携帯端末２とから構成されている。
【００２４】
シート１１には優先席エリア（電源オフの必要があるエリアまたはマナーモードを設定する必要があるエリア）であることを、優先席と表示して示している。無線チップ１２には優先席エリア（電源オフの必要があるエリアまたはマナーモードの設定をする必要があるエリア）であることを示す情報が保持されており、携帯端末２は無線チップ１２の電源を無線にて誘電することで、無線チップ１２に保持されている情報を読出すことができる。
【００２５】
携帯端末２はアンテナ２１と、送受信回路２２と、優先席エリア判定回路２３と、制御回路２４と、電源回路２５と、キー操作のためのキースイッチ２６と、音等を鳴動するブザー２７と、文字等を表示する表示器２８と、情報やプログラム等を格納するメモリ２９とから構成されている。
【００２６】
図２は図１の携帯端末２の制御動作を示すフローチャートである。これら図１及び図２を参照して本発明の一実施例によるマナーモード制御システムのマナーモード制御動作について説明する。図２に示す処理は携帯端末２の制御回路２４がメモリ２９内のプログラムを実行することで実現される。
【００２７】
携帯端末２の制御回路２４は、優先席と表示されたシート１１に埋込まれた無線チップ１２に対してアンテナ２１と送受信回路２２とを経由して信号を送信することで、無線チップ１２に保持された情報、つまり優先席エリア（電源オフの必要があるエリアまたはマナーモードの設定をする必要があるエリア）であることを示す情報を読込む（図２ステップＳ１）。
【００２８】
制御回路２４は無線チップ１２から読込んだ情報が優先席であることを示しているかどうかを優先席エリア判定回路２３に判定させ（図２ステップＳ２）、無線チップ１２からの情報が優先席であることを示していれば（図２ステップＳ３）、電源回路２５の電源をオフにする（図２ステップＳ４）。
【００２９】
以上の動作によって、本実施例では、優先席エリア（電源オフの必要があるエリアまたはマナーモードを設定する必要があるエリア）であることを、優先席と表示したシート１１等に備える無線チップ１２の情報を読出すことで判断し、その判断結果に基づいて電源をオフしたり、マナーモードの設定を行うことが可能となる。よって、本実施例では、操作者自身が積極的にマナーモード設定や電源オフを行う必要がなく、予めスケジュールを登録しておかなければマナーモード設定ができないという問題やマナーモードとしたい場所に所定の信号を発生する装置を取り付けなければならないという問題、及びＧＰＳ（Ｇｌｏｂａｌ  Ｐｏｓｉｔｉｏｎｉｎｇ  Ｓｙｓｔｅｍ）機能を保有していなければならないという問題を解決することができる。
【００３０】
また、本実施例では、マナーモードが必要な場所の近くにあるもの（例えば、電車の中の優先席と表示したシート１１）に備えた無線チップ１２から情報を読出すため、基地局ＩＤとマナーモードが必要な場所（例えば、電車の中）とを限定することができないという問題や、判定基準時間の設定が全ての路線の全ての電車に対応する必要があるために乗車中か否かの判定が困難という問題をも解決することができる。
【００３１】
さらに、本実施例では、マナーモードが必要な場所の近くにあるものに備える無線チップ１２から情報を読出すために、無線チップ１２の無線部の出力が小さくても動作可能で、低消費電力にて機能を実現することができるという効果を奏する。加えて、本実施例では、携帯端末２が無線を通じて無線チップ１２の電源を誘電させて通信を行うことで、無線チップ１２の電源が不要となり、無線チップ１２から情報を読出すことによってマナーモードの設定制御が可能となるため、設置場所の自由度が高いという効果を奏する。同時に、本実施例では、マナーモードとしたい場所に、所定の信号を発生する装置を取付けなければならないという問題もなくなる。
【００３２】
尚、無線チップ１２はＩＣ（集積回路）メモリと、通信回路と、アンテナとによって実現可能であり、使用する周波数帯（例えば、マイクロ波やミリ波）によって小型化が可能であり、設置の場所の自由度が高くなるという効果を奏する。
【００３３】
図３は本発明の他の実施例によるマナーモード制御システムの構成を示すブロック図である。図３において、本発明の他の実施例によるマナーモード制御システムは無線チップ１２を備えたボート１３と、携帯電話機等の携帯端末２とから構成されており、ボード１３には「携帯電話は電源オフまたはマナーモードに設定願います」と記載されている。
【００３４】
また、無線チップ１２には「携帯電話は電源オフまたはマナーモードに設定願います」という情報等が保持されており、携帯端末２は無線チップ１２の電源を無線にて誘電することで、無線チップ１２に保持されている情報を読出すことができる。
【００３５】
携帯端末２はアンテナ２１と、送受信回路２２と、制御回路２４と、電源回路２５と、キー操作のためのキースイッチ２６と、音等を鳴動するブザー２７と、文字等を表示する表示器２８と、情報やプログラム等を格納するメモリ２９と、マナーモード判定回路３０と、マナーモード制御回路３１と、振動を伝えるバイブレータ３２とから構成されている。
【００３６】
図４は図３の携帯端末２の制御動作を示すフローチャートである。これら図３及び図４を参照して本発明の他の実施例によるマナーモード制御システムのマナーモード制御動作について説明する。図４に示す処理は携帯端末２の制御回路２４がメモリ２９内のプログラムを実行することで実現される。
【００３７】
携帯端末２の制御回路２４は、「携帯電話は電源オフまたはマナーモードに設定願います」と記載されたボード１３に組込まれた無線チップ１２に対してアンテナ２１と送受信回路２２とを経由して信号を送信することで、無線チップ１２に保持された情報、つまり「携帯電話は電源オフまたはマナーモードに設定願います」との情報を読込む（図４ステップＳ１１）。
【００３８】
制御回路２４は無線チップ１２から読込んだ情報がマナーモードに設定する必要のあるエリア（例えば、美術館の閲覧室等）であることを示しているかどうかをマナーモード判定回路２３に判定させ（図４ステップＳ１２）、無線チップ１２からの情報がマナーモードに設定する必要のあるエリアであることを示していれば（図４ステップＳ１３）、マナーモード制御回路３１を通してマナーモードに設定する（図４ステップＳ１４）。
【００３９】
以上の動作によって、本実施例では、マナーモードに設定する必要のあるエリア（例えば、美術館の閲覧室等）であることを、「携帯電話は電源オフまたはマナーモードに設定願います」と記載されたボート１３等に備える無線チップ１２の情報を読出すことで判断し、その判断結果に基づいてマナーモードの設定を行うことが可能となる。よって、本実施例では、操作者自身が積極的にマナーモード設定や電源オフを行う必要がなく、予めスケジュールを登録しておかなければマナーモード設定ができないという問題やマナーモードとしたい場所に所定の信号を発生する装置を取り付けなければならないという問題、及びＧＰＳ（Ｇｌｏｂａｌ  Ｐｏｓｉｔｉｏｎｉｎｇ  Ｓｙｓｔｅｍ）機能を保有していなければならないという問題を解決することができる。
【００４０】
尚、本発明では、上記の各実施例に示す優先席エリア判別回路２３やマナーモード判定回路３０を他のエリア判定回路とすることもできる。また、本発明では、優先席と表示されたシート１１を他のシートや壁の中等、無線チップ１２が埋込み（組込み）可能な場所であれば、そのほかの場所であってもよい。
【００４１】
さらに、本発明では、「携帯電話は電源オフまたはマナーモードに設定願います」と記載されたボード１３をその他のシートやボード、壁等、無線チップ１２が埋込み（組込み）可能なものであれば、そのほかのものであってもよい。
【００４２】
さらにまた、本発明では、上記の各実施例において、特定のエリアかどうかの判定の後に、電源をオフしても、マナーモードに設定しても、逆にそれらを解除してもよい。この場合、本発明では、特定のエリアかどうかの判定の後に、バイブレータ３２を振動または停止させても、ブザー２７を鳴動または停止しても、表示器２８に表示または表示を停止しても、メモリ２９にアクセスしても、キースイッチ２６からの入力を行ってもよい。
【００４３】
本発明では、特定のエリアかどうかの判定において、決められたエリア内であることを判定しても、エリア外であることを判定してもよい。また、本発明では、携帯電話機または携帯端末が、固定端末であってもよい。
【００４４】
さらに、本発明では、無線チップ１２に信号を送信することでその電源を誘電しているが、内部に電源を持つことも、また携帯端末２からの信号を待つことなく、上記の情報を送信することも可能である。この場合、携帯端末２は無線チップ１２からの信号によって特定エリアを判別すればよい。また、無線チップ１２に保持する情報としては、上記の優先席の情報やマナーモードにすべき場所の情報のみでなく、それらの情報を識別できればどのような情報であってよく、例えば、それらの情報を１ビットや複数ビットで表してもよい。
【産業上の利用可能性】
【００４５】
本発明は、携帯電話機等の携帯端末２が、電車内、コンサートホール内、美術館の閲覧室内等で使用されるのを予め断っているような場所に適用可能であり、多大なコストを要することなく実現可能である。
【図面の簡単な説明】
【００４６】
【図１】本発明の一実施例によるマナーモード制御システムの構成を示すブロック図である。
【図２】図１の携帯端末の制御動作を示すフローチャートである。
【図３】本発明の他の実施例によるマナーモード制御システムの構成を示すブロック図である。
【図４】図３の携帯端末の制御動作を示すフローチャートである。
【符号の説明】
【００４７】
２  携帯端末
１１  シート
１２  無線チップ
１３  ボード
２１  アンテナ
２２  送受信回路
２３  優先席エリア判定回路
２４  制御回路
２５  電源回路
２６  キースイッチ
２７  ブザー
２８  表示器
２９  メモリ
３０  マナーモード判定回路
３１  マナーモード制御回路
３２  バイブレータ
【図１】
2007194756.tif 000003
【図２】
2007194756.tif 000004
【図３】
2007194756.tif 000005
【図４】
2007194756.tif 000006